【手続補正書】
【提出日】平成24年2月3日(2012.2.3)
【手続補正１】
【補正対象書類名】明細書
【補正対象項目名】００８８
【補正方法】変更
【補正の内容】
【００８８】
透過電子顕微鏡下での被覆物の写真は、カーボンナノチューブの凝集体が１μｍ未満の直径を有することを示す。
本発明の好ましい態様は、以下を包含する。
［１］カーボンナノチューブおよび少なくとも１つの水性処方物中におけるポリマー分散剤をベースとする導電性被覆物の製造のための印刷可能組成物であって、該カーボンナノチューブの少なくとも５分の１が、堆積に集まり、および巻き上がった幾つかのグラフェン層を有する分子構造を有するカーボンナノチューブから構成されること特徴とする、印刷可能組成物。
［２］カーボンナノチューブは、５を越える、好ましくは１００を越える長さと外径との比を有することを特徴とする、［１］に記載の組成物。
［３］カーボンナノチューブは、３〜１００ｎｍ、好ましくは５〜８０ｎｍ、特に好ましくは６〜６０ｎｍの平均外径を有することを特徴とする、［１］または［２］に記載の組成物。
［４］カーボンナノチューブは、組成物中に少なくとも部分的に凝集体として存在し、該凝集体径は実質的に、５μｍ未満、好ましくは３μｍ未満、特に好ましくは２μｍ未満であることを特徴とする、［１］〜［３］のいずれかに記載の組成物。
［５］全てのカーボンナノチューブの割合は、組成物中において０．１重量％〜１５重量％、好ましくは５重量％〜１０重量％であることを特徴とする、［１］〜［４］のいずれかに記載の組成物。
［６］カーボンナノチューブは、特にＨＮＯ３および／またはＨ２Ｏ２により、好ましくはＨ２Ｏ２により酸化前処理されることを特徴とする、［１］〜［５］のいずれかに記載の組成物。
［７］ポリマー分散剤は、水溶性ホモポリマー、水溶性ランダムコポリマー、水溶性ブロックコポリマー、水溶性グラフトポリマー、特にポリビニルアルコール、ポリビニルアルコールおよびポリ酢酸ビニルのコポリマー、ポリビニルピロリドン、セルロース誘導体、例えばカルボキシメチルセルロース、カルボキシプロピルセルロース、カルボキシメチルプロピルセルロース、ヒドロキシエチルセルロース、デンプン、ゼラチン、ゼラチン誘導体、アミノ酸ポリマー、ポリリシン、ポリアスパラギン酸、ポリアクリレート、ポリエチレンスルホネート、ポリスチレンスルホネート、ポリメタクリレート、ポリスルホン酸、芳香族スルホン酸とホルムアルデヒドとの濃縮生成物、ナフタレンスルホネート、リグニンスルホネート、アクリル酸モノマーのコポリマー、ポリエチレンイミン、ポリビニルアミン、ポリアリルアミン、ポリ（２−ビニルピリジン）、ブロックコポリマー、ポリスチレンブロックを有するブロックコポリエーテルならびにポリジアリルジメチルアンモニウムクロリドの系列から選択されることを特徴とする、［１］〜［６］のいずれかに記載の組成物。
［８］ポリマー分散剤の割合は組成物中において、０．０１重量％〜１０重量％、好ましくは０．１重量％〜７重量％、特に好ましくは０．５重量％〜５重量％であることを特徴とする、［１］〜［７］のいずれかに記載の組成物。
［９］有機溶媒、好ましくはアルコール、エーテル、ケトンおよびジオキサランが添加されてよい、［１］〜［８］のいずれかに記載の組成物。
［１０］組成物は、０．５Ｐａ・秒、好ましくは１〜２００Ｐａ・秒の動的粘度を有する、［１］〜［９］のいずれかに記載の組成物。
［１１］カーボンナノチューブおよび少なくとも１つの水性処方物中におけるポリマー分散剤をベースとする導電性被覆物の製造用の印刷可能組成物、特に［１］〜［９］のいずかに記載の印刷可能組成物の製造方法であって、少なくとも以下の工程：
ａ）任意に、カーボンナノチューブを酸価前処理する工程、
ｂ）ポリマー分散剤を水性溶媒中に溶解し、カーボンナノチューブを得られる溶液中に投入および分散することにより水性予備分散体を製造する工程、
ｃ）少なくとも１０４Ｊ／ｍ３、好ましくは１０５Ｊ／ｍ３、特に好ましくは１０７〜１０９Ｊ／ｍ３の体積系エネルギー密度を予備分散体に、カーボンナノチューブ凝集体の凝集体径が実質的に≦５μｍ、好ましくは≦３、特に好ましくは≦２となるまで入力する工程
を含むことを特徴とする、前記方法。
［１２］酸化前処理を、ＨＮＯ３および／またはＨ２Ｏ２により、好ましくはＨ２Ｏ２により行うことを特徴とする、［１１］に記載の方法。
［１３］体積系エネルギー密度の入力を、予備分散体をホモジナイザー、好ましくは高圧ホモジナイザー、とりわけジェット分散機またはギャップホモジナイザーへ通過させることにより行い、体積系エネルギー密度を予備分散体中にノズル開口部の領域において導入することを特徴とする、［１１］または［１２］に記載の方法。
［１４］予備分散体をホモジナイザー、好ましくは高圧ホモジナイザー、特にジェット分散機またはギャップホモジナイザーへ通過させることを少なくとも２回、好ましくは少なくとも３回行うことを特徴とする、［１３］に記載の方法。
［１５］予備分散体ｂ）の調製およびせん断エネルギーｃ）の入力を、予備分散体を回転ロールを有する３本ロールミル中で処理することにより行うことを特徴とする、請求項１１または１２に記載の方法であって、少なくとも以下の工程：
ｂ１）水性溶媒中におけるポリマー分散剤の溶液をカーボンナノチューブと共に第１ロール及び異なった回転の速度を有する第２ロールの間の第１ギャップに導入し、カーボンナノチューブを溶液中に予備分散し、粗い凝集体を粉砕する工程、
ｂ２）前記予備分散体を、工程ｂ１）から第２ロールおよび異なった回転の速度を有する第３ロールの間の第２ギャップへ輸送し、該予備分散体を輸送中にロール表面に少なくとも部分的に接着させる工程、
ｃ１）前記分散体中におけるカーボンナノチューブ凝集体を実質的に≦５μｍ、好ましくは≦３μｍ、特に好ましくは≦２μｍの直径に粉砕する、予備分散体を第２ギャップ中へ導入する工程、
ｃ２）完成分散体を第３ロールのロール表面から取り出す工程
を含む、前記方法。
［１６］第１ロールおよび第２ロールの間のギャップの幅および第２ロールおよび第３ロールの間のギャップの幅は、互いに独立して、１０μｍ未満、好ましくは５μｍ未満、特に好ましくは３μｍ未満であることを特徴とする、［１５］に記載の方法。
［１７］第１ロールおよび第２ロールの回転の速度の比および第２ロールおよび第３ロールの回転の速度の比は、互いに独立して、少なくとも１：２、好ましくは少なくとも１：３であることを特徴とする、［１５］または［１６］のいずれかに記載の方法。
［１８］導電性印刷像の製造のための高スループット印刷法、特にスクリーン印刷法またはオフセット印刷法における［１］〜［１０］のいずれかに記載の印刷可能組成物の使用。
［１９］［１］〜［１０］のいずれかに記載の組成物を、特にスクリーン印刷またはオフセット印刷により表面上に印刷し、および溶媒を除去することにより得られる導電性被覆物。
［２０］［１９］に記載の被覆物を有する非導電性または低導電性物質の物品。
【手続補正２】
【補正対象書類名】特許請求の範囲
【補正対象項目名】全文
【補正方法】変更
【補正の内容】
【特許請求の範囲】
【請求項１】
カーボンナノチューブおよび少なくとも１つの水性処方物中におけるポリマー分散剤をベースとする導電性被覆物の製造のための印刷可能組成物であって、該カーボンナノチューブの少なくとも５分の１が、堆積に集まりおよび巻き上がった幾つかのグラフェン層を有する分子構造を有するカーボンナノチューブから構成されること特徴とする、印刷可能組成物。
【請求項２】
カーボンナノチューブおよび少なくとも１つの水性処方物中におけるポリマー分散剤をベースとする導電性被覆物の製造用の印刷可能組成物、特に請求項１に記載の印刷可能組成物の製造方法であって、少なくとも以下の工程：
ａ）任意に、カーボンナノチューブを酸価前処理する工程、
ｂ）ポリマー分散剤を水性溶媒中に溶解し、カーボンナノチューブを得られる溶液中に投入および分散することにより水性予備分散体を製造する工程、
ｃ）少なくとも１０４Ｊ／ｍ３、好ましくは１０５Ｊ／ｍ３、特に好ましくは１０７〜１０９Ｊ／ｍ３の体積系エネルギー密度を予備分散体に、カーボンナノチューブ凝集体の凝集体径が実質的に≦５μｍ、好ましくは≦３、特に好ましくは≦２となるまで入力する工程
を含むことを特徴とする、前記方法。
【請求項３】
導電性印刷像の製造のための高スループット印刷法、特にスクリーン印刷法またはオフセット印刷法における請求項１に記載の印刷可能組成物の使用。
【請求項４】
請求項１に記載の組成物を、特にスクリーン印刷またはオフセット印刷により表面上に印刷し、および溶媒を除去することにより得られる導電性被覆物。
【請求項５】
請求項４に記載の被覆物を有する非導電性または低導電性物質の物品。